(57)【要約】    【課題】  画像を容易且つ便利にユーザに公開することができる画像処理装置及びその画像公開方法を提供する。    【解決手段】  複写機１００で読み込んだ画像にＩＰアドレスを割り当て、そのＩＰアドレスが参照された場合に画像を返すことで（ステップＳ１１０９、及びステップＳ１１１１）、簡単にどこからでも画像を得ることができる。また、この複写機１００のハードディスク３０４からインターネット上の外部ホストコンピュータ２００へその画像の実体を移す際には、その画像自体と共に、そのＩＰアドレスも移動を行うことで、ユーザ側からは同様にアクセスが可能である。【選択図】      図８
2006323496.tif 000002
【特許請求の範囲】
【請求項１】
ネットワークにより通信するネットワーク通信手段と、
画像にネットワーク・アドレスを割り当てるアドレス割り当て手段と、
前記アドレス割り当て手段により割り当てたネットワーク・アドレスが前記ネットワークを介して参照されたときに、そのネットワーク・アドレスが割り当てられた画像を参照先に返信する画像返信手段とを備えたことを特徴とする画像処理装置。
【請求項２】
少なくとも一つ以上のネットワーク・アドレスを保有するネットワーク・アドレス保有手段と、
前記アドレス割り当て手段によって割り当てたネットワーク・アドレスを、前記ネットワーク・アドレス保有手段に保有されているネットワーク・アドレスに追加するネットワーク・アドレス追加手段と、
前記ネットワーク・アドレスが割り当てられた画像を、前記ネットワーク通信手段により外部装置へ送信する画像送信手段と、
前記アドレス割り当て手段により割り当てたネットワーク・アドレスを、前記ネットワーク通信手段により前記外部装置へ通知するネットワーク・アドレス通知手段と、
前記ネットワーク・アドレス追加手段により追加されたネットワーク・アドレスを、前記画像送信手段及びネットワーク・アドレス通知手段の送信結果に応じて削除するアドレス削除手段とを備えたことを特徴とする請求項１に記載の画像処理装置。
【請求項３】
画像を読み取る画像読取手段を備え、
前記アドレス割り当て手段によってネットワーク・アドレスが割り当てられる画像は、前記画像読取手段により読み取った画像であることを特徴とする請求項１または２に記載の画像処理装置。
【請求項４】
ネットワークにより通信するネットワーク通信手段を有する画像処理装置の画像公開方法であって、
公開する画像にネットワーク・アドレスを割り当てるアドレス割り当て工程と、
前記アドレス割り当て工程により割り当てたネットワーク・アドレスが前記ネットワークを介して参照されたときに、そのネットワーク・アドレスが割り当てられた画像を参照先に返信する画像返信工程とを実行することを特徴とする画像処理装置の画像公開方法。
【請求項５】
ネットワークにより通信するネットワーク通信手段を有する画像処理装置の制御方法を実行するための、コンピュータで読み取り可能な制御プログラムであって、
画像にネットワーク・アドレスを割り当てるアドレス割り当てステップと、
前記アドレス割り当てステップにより割り当てたネットワーク・アドレスが前記ネットワークを介して参照されたときに、そのネットワーク・アドレスが割り当てられた画像を参照先に返信する画像返信ステップとを備えたことを特徴とする制御プログラム。
【発明の詳細な説明】
【技術分野】
【０００１】
本発明は、複写機等の画像処理装置及びその画像公開方法、並びに前記画像処理装置の制御を実行するための制御プログラムに関する。
【背景技術】
【０００２】
一般的に、画像入力や画像出力及び画像処理の各種機能を含むマルチファンクションプロダクト（ＭＦＰ）と呼ばれる画像処理装置には、画像配信機能も組み込まれている。特に最近の画像処理装置の送信機能（ユニバーサルセンド）では、装置に備わるスキャナで読み込んだドキュメントを、電子メールやファクス、ファイル転送（ＦＴＰ）で転送したり、リモートプリンタ或いはデータベースに転送することができ、また転送先を複数指定することが可能である（例えば特許文献１参照）。
【特許文献１】特開平１１−１３４２３６号公報
【発明の開示】
【発明が解決しようとする課題】
【０００３】
しかしながら、上記従来の画像処理装置の送信機能（ユニバーサルセンド）は便利である反面、画像をそのまま送信してしまうため、転送先のメモリ（ハードディスク等）がいつの間にか多数の受信画像で占有されてしまう、という問題があった。
【０００４】
本発明は上記従来の問題点に鑑み、画像を容易且つ便利にユーザに公開することができる画像処理装置及びその画像公開方法、並びに制御プログラムを提供することを目的とする。
【課題を解決するための手段】
【０００５】
本発明は上記目的を達成するため、ネットワークにより通信するネットワーク通信手段と、画像にネットワーク・アドレスを割り当てるアドレス割り当て手段と、前記アドレス割り当て手段により割り当てたネットワーク・アドレスが前記ネットワークを介して参照されたときに、そのネットワーク・アドレスが割り当てられた画像を参照先に返信する画像返信手段とを備えたことを特徴とする。
【０００６】
また、本発明は、ネットワークにより通信するネットワーク通信手段を有する画像処理装置の画像公開方法であって、公開する画像にネットワーク・アドレスを割り当てるアドレス割り当て工程と、前記アドレス割り当て工程により割り当てたネットワーク・アドレスが前記ネットワークを介して参照されたときに、そのネットワーク・アドレスが割り当てられた画像を参照先に返信する画像返信工程とを実行することを特徴とする。
【０００７】
また、本発明は、ネットワークにより通信するネットワーク通信手段を有する画像処理装置の制御方法を実行するための、コンピュータで読み取り可能な制御プログラムであって、画像にネットワーク・アドレスを割り当てるアドレス割り当てステップと、前記アドレス割り当てステップにより割り当てたネットワーク・アドレスが前記ネットワークを介して参照されたときに、そのネットワーク・アドレスが割り当てられた画像を参照先に返信する画像返信ステップとを備えたことを特徴とする。
【発明の効果】
【０００８】
本発明によれば、ユーザ側はネットワーク・アドレスを参照するたけで、ハードディスク等のメモリを占有させることなくネットワーク上のどこからでも簡単に画像の閲覧等を行うことが可能になる。
【０００９】
また、ネットワーク上の外部装置へ画像を移動した際にも、ユーザ側は、画像が移動されたことを意識することなく、同様に当該外部装置にアクセスして、画像の閲覧等を行うことが可能になる。
【発明を実施するための最良の形態】
【００１０】
本発明の画像処理装置及びその画像公開方法、並びに制御プログラムの実施の形態について、図面を参照しながら説明する。
【００１１】
＜画像処理装置のハード構成＞
図１は、本発明の実施の形態に係る画像処理装置の要部構成を示す断面図である。本実施の形態では、画像処理装置を例えば電子写真方式のデジタル複写機１００で構成している。
【００１２】
図中の１は、画像を読み取るリーダ部である。リーダ部１において、２０１は原稿積載台としてのプラテンガラスであり、２０４はスキャナであり、不図示の原稿照明ランプ、走査ミラー等で構成される。リーダ部１は画像取り込み処理が開始されると、スキャナ２０４が所定方向に往復走査されて、原稿の反射光を走査ミラー２０４〜２０６を介してレンズ２０７を透過してイメージセンサ部２０８内のＣＣＤセンサに結像する。なお、製品では２上には、ＡＤＦ（自動原稿送り器）もしくは圧板カバーが乗せられる（不図示）。
【００１３】
画像出力部２は大別して、画像形成部１０（４つのステーションａ、ｂ、ｃ、ｄが並設されており、その構成は同一である。）、給紙ユニット２０、中間転写ユニット３０、定着ユニット４０及び制御ユニット（不図示）から構成される。
【００１４】
さらに、個々のユニットについて詳しく説明する。画像形成部１０は次に述べるような構成になっている。像担持体としての感光ドラム１１ａ、１１ｂ、１１ｃ、１１ｄがその中心で軸支され、矢印方向に回転駆動される。感光ドラム１１ａ〜１１ｄの外周面に対向してその回転方向に一次帯電器１２ａ、１２ｂ、１２ｃ、１２ｄ、光学系１３ａ、１３ｂ、１３ｃ、１３ｄ、現像装置１４ａ、１４ｂ、１４ｃ、１４ｄが配置されている。一次帯電器１２ａ〜１２ｄにおいて感光ドラム１１ａ〜１１ｄの表面に均一な帯電量の電荷を与える。
【００１５】
次いで光学系１３ａ〜１３ｄにより、記録画像信号に応じて変調した例えばレーザービームなどの光線を感光ドラム１１ａ〜１１ｄ上に露光させることによって、そこに静電潜像を形成する。さらに、イエロー、シアン、マゼンタ、ブラックといった４色の現像剤（トナー）をそれぞれ収納した現像装置１４ａ〜１４ｄによって上記静電潜像を顕像化する。顕像化された可視画像を中間転写体に転写する画像転写領域Ｔａ、Ｔｂ、Ｔｃ、Ｔｄの下流側では、クリーニング装置１５ａ、１５ｂ、１５ｃ、１５ｄにより転写材に転写されずに感光ドラム１１ａ〜１１ｄ上に残されたトナーを掻き落としてドラム表面の清掃を行う。以上に示したプロセスにより、各トナーによる画像形成が順次行われる。
【００１６】
給紙ユニット２０は，記録材Ｐを収納するためのカセット２１ａ・ｂ及び手差しトレイ２７、カセット内もしくは手差しトレイより記録材Ｐを一枚ずつ送り出すためのピックアップローラ２２ａ・ｂ及び２６、各ピックアップローラから送り出された記録材Ｐをレジストローラまで搬送するための給紙ローラ対２３及び給紙ガイド２４、そして画像形成部の画像形成タイミングに合わせて記録材Ｐを二次転写領域Ｔｅへ送り出すためのレジストローラ２５ａ、２５ｂから成る。
【００１７】
中間転写ユニット３０について詳細に説明する。中間転写ベルト３１（その材料として例えば、ＰＥＴ［ポリエチレンテレフタレート］やＰＶｄＦ［ポリフッ化ビニリデン］などが用いられる）は、中間転写ベルト３１に駆動を伝達する駆動ローラ３２、ばね（不図示）の付勢によって中間転写ベルト３１に適度な張力を与えるテンションローラ３３、ベルトを挟んで二次転写領域Ｔｅに対向する従動ローラ３４に巻回させる。これらのうち駆動ローラ３２とテンションローラ３３の間に一次転写平面Ａが形成される。駆動ローラ３２は金属ローラの表面に数ｍｍ厚のゴム（ウレタンまたはクロロプレン）をコーティングしてベルトとのスリップを防いでいる。
【００１８】
駆動ローラ３２はパルスモータ（不図示）によって回転駆動される。各感光ドラム１１ａ〜１１ｄと中間転写ベルト３１が対向する一次転写領域Ｔａ〜Ｔｄには、中間転写ベルト３１の裏に一次転写ブレード３５ａ〜３５ｄが配置されている。従動ローラ３４に対向して二次転写ローラ３６が配置され、中間転写ベルト３１とのニップによって二次転写領域Ｔｅを形成する。二次転写ローラ３６は中間転写体に対して適度な圧力で加圧されている。また、中間転写ベルト上、二次転写領域Ｔｅの下流には中間転写ベルト３１の画像形成面をクリーニングするためのクリーニング装置５０が配され、前記クリーニング装置５０は、クリーナーブレード５１（材質としては、ポリウレタンゴムなどが用いられる）及び廃トナーを収納する廃トナーボックス５２から成る。
【００１９】
定着ユニット４０は、内部にハロゲンヒーターなどの熱源を備えた定着ローラ４１ａとそのローラに加圧される４１ｂ（このローラにも熱源を備える場合もある）、及び上記ローラ対のニップ部へ転写材Ｐを導くためのガイド４３、また、上記ローラ対から排出されてきた転写材Ｐをさらに装置外部に導き出すための内排紙ローラ４４、外排紙ローラ４５などから成る。
【００２０】
制御ユニットは、上記各ユニット内の機構の動作を制御するための制御基板７０や、モータドライブ基板（不図示）などから成る。
【００２１】
次に、装置の動作に即して説明を加える。
【００２２】
画像形成動作開始信号が発せられると、まずピックアップローラ２２ａにより、カセット２１ａから転写材Ｐが一枚ずつ送り出される。そして給紙ローラ対２３によって転写材Ｐが給紙ガイド２４の間を案内されてレジストローラ２５ａ、２５ｂまで搬送される。その時レジストローラは停止されており、紙先端はニップ部に突き当たる。その後、画像形成部が画像の形成を開始するタイミングに合わせてレジストローラは回転を始める。この回転時期は、転写材Ｐと画像形成部より中間転写ベルト上に一次転写されたトナー画像とが二次転写領域Ｔｅにおいてちょうど一致するようにそのタイミングが設定されている。
【００２３】
一方、画像形成部では、画像形成動作開始信号が発せられると、前述したプロセスにより中間転写ベルト３１の回転方向において一番上流にある感光ドラム１１ｄ上に形成されたトナー画像が、高電圧が印加された一次転写用帯電器３５ｄによって一次転写領域Ｔｄにおいて中間転写ベルト３１に一次転写される。一次転写されたトナー像は次の一次転写領域Ｔｃまで搬送される。そこでは各画像形成部間をトナー像が搬送される時間だけ遅延して画像形成が行われており、前画像の上にレジストを合わせて次のトナー像が転写されることになる。以下も同様の工程が繰り返され、結局４色のトナー像が中間転写ベルト３１上において一次転写される。
【００２４】
その後、記録材Ｐが二次転写領域Ｔｅへ進入、中間転写ベルト３１に接触すると、記録材Ｐの通過タイミングに合わせて二次転写ローラ３６に、高電圧を印加させる。そして前述したプロセスにより中間転写ベルト上に形成された４色のトナー画像が記録材Ｐの表面に転写される。その後記録材Ｐは搬送ガイド４３によって定着ローラニップ部まで正確に案内される。そしてローラ対４１Ａ、４１Ｂの熱及びニップの圧力によってトナー画像が紙表面に定着される。その後、内外排紙ローラ４４、４５により搬送され、紙は機外に排出される。
【００２５】
＜制御系の構成＞
（Ａ）全体
図２は、図１のデジタル複写機内の制御系の構成を示すブロック図である。
【００２６】
図中の１７１は図１のデジタル複写機の基本制御を行うＣＰＵである。ＣＰＵ１７１は、制御プログラム（後述する図５、図８及び図９に示す各処理フローに基づいた制御プログラムも含む）が書き込まれたＲＯＭ１７４と、処理を行うためのワークＲＡＭ１７５と、入出力ポート１７３とがアドレスバス及びデータバスを介して接続されている。
【００２７】
入出力ポート１７３には、図１のデジタル複写機を制御する、モータ、クラッチ等の各種負荷（不図示）や、紙の位置を検知するセンサ等の入力（不図示）が接続されている。
【００２８】
ＣＰＵ１７１はＲＯＭ１７４の内容に従って入出力ポート１７３を介して順次入出力の制御を行い画像形成動作を実行する。また、ＣＰＵ１７１には操作部１７２が接続されており、操作部１７２の表示手段、キー入力手段を制御する。操作者はキー入力手段をとおして、画像形成動作モードや、スキャナ読み取りモード、プリント出力モードの表示の切り替えをＣＰＵ１７１に指示し、ＣＰＵ１７１は図１のデジタル複写機の状態や、キー入力による動作モード設定の表示を行う。ＣＰＵ１７１には、イメージセンサ部２０８で電気信号に変換された信号を処理する画像処理部１７０と、処理された画像を蓄積する画像メモリ部３が接続されている。
【００２９】
（Ｂ）画像メモリ部の詳細
図３は、図２中の画像メモリ部３の構成を示すブロック図である。
【００３０】
画像メモリ部３では、ＤＲＡＭ等のメモリで構成されるページメモリ部３０１に、メモリコントローラ部３０２を介して外部Ｉ／Ｆ処理部４、画像処理部１７０からの画像の書き込み、外部Ｉ／Ｆ処理部４、プリンタ部２への画像読み出し、大容量の記憶装置であるハードディスク３０４への画像の入出力のアクセスを行う。
【００３１】
メモリコントローラ部３０２は、ページメモリ部３０１のＤＲＡＭリフレッシュ信号の発生を行い、また、画像Ｉ／Ｆ処理部４、画像処理部１７０、ハードディスク３０４からのページメモリ部３０１へのアクセスの調停を行う。更に、ＣＰＵ１７１の指示に従い、ページメモリ部３０１への書き込みアドレス、ページメモリ部３０１からの読み出しアドレス、読み出し方向などの制御をする。それにより、ＣＰＵ１７１はページメモリ部３０１に複数の原稿画像をならべてレイアウトを行い、プリンタ部に出力する機能や、画像の一部分のみ切り出して出力する機能や、画像回転機能を制御する。
【００３２】
（Ｃ）外部Ｉ／Ｆ処理部の構成
図４は、図２中の外部Ｉ／Ｆ処理部４の構成を示すブロック図である。
【００３３】
外部Ｉ／Ｆ処理部４は前述した様に、画像メモリ部３を介して、リーダ部の画像データを外部Ｉ／Ｆ処理部に取り込み、また、画像メモリ部３を介して、外部Ｉ／Ｆからの画像データをプリンタ部２へ出力して画像形成を行う。外部Ｉ／Ｆ処理部４は、コア部４０６と、ファクシミリ部４０１と、ファクシミリ部４０１の通信画像データを保存するハードディスク４０２と、外部ホストコンピュータ２００等と接続するネットワークインターフェース部４０３と、フォーマッタ部４０４と、イメージメモリ部４０５とを有している。ファクシミリ部４０１はモデム（不図示）を介して公衆回線と接続しており、公衆回線からのファクシミリ通信データの受信と、公衆回線へのファクシミリ通信データの送信を行う。
【００３４】
ファクシミリ部４０１では、ファクシミリ機能である、指定された時間にファックス送信を行ったり、相手から指定パスワードの問い合わせで画像データを送信するなどハードディスク４０２にファクス用の画像を保存して処理を行う。これにより、一度リーダ部１から画像メモリ部３を介して、ファクシミリ部４０１、ファクシミリ用のハードディスク４０２へ画像を転送した後は、リーダ部１、画像メモリ部３をファクシミリ機能に使うことなしに、ファックス送信を行うことができる。
【００３５】
ネットワークインターフェース部４０３は外部とのデータ通信を行うインターフェース部であり、ローカルエリアネットワーク（以下、ＬＡＮ）、シリアルＩ／Ｆ、ＳＣＳＩＩ／Ｆ、プリンタのデータ入力用のセントロＩ／Ｆなどを持つ。インターネットへの接続はＬＡＮのＩ／Ｆを介しておきなう。このＩ／Ｆを介して、プリンタ部、リーダ部の状態を外部ホストコンピュータに通知したり、コンピュータの指示でリーダ部１で読み取った画像を外部ホストコンピュータへ転送したりする。また、外部ホストコンピュータからプリント画像データを受け取ったりする。外部ホストコンピュータからネットワークインターフェース部４０３を介して通知されるプリントデータは専用のプリンタコードで記述されているため、フォーマッタ部４０４はそのコードを画像メモリ部３を介してプリンタ部２で画像形成を行うラスターイメージデータに変換する。
【００３６】
フォーマッタ部４０４はラスターイメージデータの展開をイメージメモリ部４０５に行う。イメージメモリ部は、このようにフォーマッタ部４０４がラスターイメージデータの展開するメモリとして使用したり、また、リーダ部の画像をネットワークインターフェース部４０３を介して外部ホストコンピュータに送る（画像スキャナ機能）場合に、画像メモリ部３から送られる画像データをイメージメモリ部に一度展開し、外部ホストコンピュータに送るデータの形式に変換してネットワークインターフェース部４０３からデータを送出するような場合においても使用される。
【００３７】
コア部４０６は、ファクシミリ部４０１、ネットワークインターフェース部４０３、フォーマッタ部４０４、イメージメモリ部４０５、画像メモリ部３間それぞれのデータ転送を制御管理する。これにより、外部Ｉ／Ｆ処理部４に複数の画像出力部があっても、画像メモリ部３へ画像転送路が一つであっても、コア部４０６の管理のもと、排他制御、優先度制御され画像出力が行われる。
【００３８】
＜スキャンモード時の動作＞
次に、上記構成の複写機におけるスキャンモード時の動作について図５及び図６等を参照しつつ説明する。図５は、本実施の形態に係る複写機におけるスキャンモード時の動作を示すフローチャートである。図６（ａ），（ｂ）は、本実施の形態に係るスキャンモード時に操作部１７２の操作画面に表示される表示画面図である。
【００３９】
（Ａ）スキャンモード時の操作部１７２における表示
スキャンモード時では、図６に示すスキャンモードボタン５５６が選択状態となっている。また、図６（ａ）中の６０２、６０３はスキャンカラーモード設定ボタンである。これらは片方が選択されると片方は非選択となり、ボタン６０２が選択中は白黒モードであり、ボタン６０３が選択中はカラーモードの選択状態となる。６０４、６０５はスキャン解像度設定ボタンである。これらは片方が選択されると片方は非選択となり、ボタン６０４が選択中は１５０ｄｐｉであり、ボタン６０５が選択中は３００ｄｐｉの選択状態となる。
【００４０】
また、６０６、６０７はスキャン後処理設定ボタンである。これらは片方が選択されると片方は非選択となり、ボタン６０６が選択中は、スキャン後に画像を所定の宛先へ電子メールで転送するＳＥＮＤモードとなり、ボタン６０７が選択中は本実施の形態の特徴を成すＩＰスキャンモードとなる。ＩＰスキャンモードは、スキャン後に画像をハードディスク３０４に保存してＩＰアドレスを割り当て、ＩＰアドレスを所定の宛先へ電子メールで転送するモードである。
【００４１】
図６（ａ）の６０１は宛先リストであり、このリスト６０１に従って、前記ＳＥＮＤモード時の画像の送信や、前記ＩＰスキャンモード時のＩＰアドレスを送信する。６０８は宛先追加ボタンである。このボタン６０８を押すと宛先の設定を行うことが可能となり、設定された宛先は宛先リスト６０１に追加される。
【００４２】
（Ｂ）スキャンモード時の処理
次に、図５のフローチャートを参照してスキャンモード時に関する処理について説明する。
【００４３】
図６（ａ）の操作画面では、例えば、白黒モード、解像度１５０ｄｐｉ、及びＩＰスキャンモードが選択された状態である。このとき、操作部１７２上のスタートボタン（図示省略）が押されると、本処理がスタートする。
【００４４】
まず、ステップＳ１００１では、図６（ａ）のボタン６０２により白黒モードが選択されているか否かを判定する。ステップＳ１００１で白黒モードが選択されていると判断したら、次のステップＳ１００２でモードは白黒であると記憶し、ステップＳ１００４へ進む。ステップＳ１００１で白黒モードが選択状態でないと判断した場合にはステップＳ１００３へ進み、モードをカラーモードと記憶してステップＳ１００４へ進む。
【００４５】
ステップＳ１００４では、図６（ａ）のボタン６０４によって１５０ｄｐｉモードが選択されているか否かを判定する。１５０ｄｐｉが選択されていると判定した場合にはステップＳ１００５へ進み、解像度を１５０ｄｐｉと記憶し、ステップＳ１００７へ進む。ステップＳ１００４において１５０ｄｐｉモードが選択状態でないと判断した場合には、ステップＳ１００６へ進み、解像度を３００ｄｐｉと記憶し、ステップＳ１００７へ進む。
【００４６】
ステップＳ１００７では、ここまでに記憶したモードと解像度に従って画像のスキャンを開始する。このとき、図６（ａ）の画面には、現在スキャン中であることを示す文字７０１が表示される。
【００４７】
ステップＳ１００８で画像のスキャンが終了したら、ステップＳ１００９へ進み、図６（ａ）のボタン６０７でＩＰスキャンモードが選択されているか否かを判定する。ステップＳ１００９でＩＰスキャンモードが選択されていないと判定された場合にはステップＳ１０１０へ進み、図６（ａ）の宛先リスト６０１に表示されている宛先へ前記スキャンした画像を電子メールで送信し、処理を終了する。
【００４８】
ステップＳ１００９でＩＰスキャンモードが選択されていると判定された場合にはステップＳ１０１１へ進み、前記スキャンした画像をハードディスク３０４に保存する。ステップＳ１０１１が終了すると、ステップＳ１０１２へ進み、ステップＳ１０１１で保存した画像にＩＰアドレスを割り当てる。このとき、後述する図７（ｂ）で説明するような範囲にＩＰアドレスを割り当てる。
【００４９】
ステップＳ１０１２が終了するとステップＳ１０１３へ進み、ステップＳ１０１２で割り当てたＩＰアドレスを、所定の宛先（図６（ａ）のる宛先リスト６０１）に電子メールで送付する。送付が終了すると、操作部１７２に図６（ｂ）に示すような、割り当てられたＩＰアドレスと共に、宛先にアドレスを送信した旨を示すメッセージ画面７０２が表示される。この画面で「ＯＫ」ボタン７０３を押下することにより、本処理が終了する。
【００５０】
（Ｃ）ＩＰアドレスの割り当て方法
次に、上記図５のステップＳ１０１２で実行される、スキャン画像へのＩＰアドレスの割り当て処理の方法について、図７（ａ），（ｂ）を用いて説明する。図７（ａ），（ｂ）は、ＩＰアドレスの割り当て方法を説明するための説明図である。
【００５１】
図７（ａ）は、ＩＰｖ６のアドレス構成を示したものである。同図に示すように、ＩＰアドレスは、ネットワークアドレスがプレフィックスされており、ホストアドレスにネットワークのインターフェースＩＤが割り振られて、成り立っている。
【００５２】
本複写機では、図７（ｂ）に示すように、ホストアドレスにおいては、上位４８ビットにＭＡＣアドレスを用い、下位１６ビットが「００００」となるように設定が行われる。また、ＩＰｖ６の機能の一つとして、一つのネットワークＩ／Ｆに多数のＩＰアドレスを設定することが可能であり、本実施の形態の複写機では、下位１６ビットを「００１０」としたＩＰアドレスと、「００２０」としたＩＰアドレスをも持ち、それぞれプリンタ用のアドレス、スキャナ用のアドレスとして設定されている。
【００５３】
そして、本実施の形態では、スキャンした画像に割り当てるアドレスとして、下位１６ビットを「０１００〜ｆｆｆｆ」まで用意してある。
【００５４】
＜ネットワークアクセス受信時の動作＞
次に、図８を用いて、本実施の形態に係る複写機１００に対するアクセスに関しての処理を説明する。
【００５５】
図８は、本実施の形態に係る複写機におけるインターネットのアクセス監視処理を示すフロチャートである。
【００５６】
この処理は、電源オン時に立ち上げられる。まずステップＳ１１０１では、複写機１００に対してアクセスが有るか否かを判断する。ステップＳ１１０１はアクセスがあるまで繰り返される。
【００５７】
ステップＳ１１０１が終了すると、ステップＳ１１０２へ進み、アクセスされているＩＰアドレスの下位が「０ｘ００１０」未満であるか否かを判断する。ステップＳ１１０２で、「０ｘ００１０」未満であると判断した場合には、ステップＳ１１０３へ進み、複合機としての通信処理を行い、ステップＳ１１０１に戻る。ここで、複合機としての通信処理は、相手側からは複合機と見えているときの処理であり、複合機としての機能等についての通信の処理を行うこととなる。
【００５８】
ステップＳ１１０２で、最下位が「０ｘ００１０」未満ではないと判断された場合には、ステップＳ１１０４へ進む。ステップＳ１１０４では、アクセスされているアドレスの下位が「０ｘ００２０」未満であるか否かを判断する。ステップＳ１１０４において下位アドレスが「０ｘ００２０」未満であると判断した場合にはステップＳ１１０５へ進みプリンタ用通信処理を行い、ステップＳ１１０１に戻る。このプリンタ用通信処理では、相手からはプリンタと見えているときの処理であり、プリンタとしての機能等に関しての通信の処理となる。
【００５９】
ステップＳ１１０４で下位アドレスが「０ｘ００２０」未満でないと判定された場合にはステップＳ１１０６へ進み、下位アドレスが「０ｘ００３０」未満であるか否かの判断を行う。ステップＳ１１０６で下位アドレスが「０ｘ００３０」未満であると判断された場合にはステップＳ１１０７へ進み、リーダ用通信処理を行いステップＳ１１０１に戻る。このリーダ用通信処理では、相手からはリーダと見えているときの処理であり、リーダとしての機能に関する通信の処理となる。
【００６０】
ステップＳ１１０６で下位アドレスが「０ｘ００３０」未満ではないと判断された場合には、ステップＳ１１０８へ進む。ステップＳ１１０８では、下位アドレスが「０ｘ０１００」以上であるか否かを判断する。図７（ｂ）で示したように、下位アドレスが「０ｘ０１００」以上であれば、それは画像の参照を目的にアクセスしてきたということが分かる。ステップＳ１１０８で下位アドレスが「０ｘ０１００」以上でないと判断された場合には、ステップＳ１１０１に戻る。
【００６１】
ステップＳ１１０８でアドレスが「０ｘ０１００」以上であると判断された場合には、ステップＳ１１０９へ進み、アクセスしてきたアドレスに対応した画像がハードディスク３０４に存在するか否かを判断する。ステップＳ１１０９で、前記対応する画像が存在しないと判断した場合には、ステップＳ１１１０へ進み、「ＮＧ」を返信する。ステップＳ１１０９でアクセスしたアドレスに対応した画像が存在すると判断した場合には、その対応する画像を、当該アクセスしてきた相手側へ返信して、ステップＳ１１０１に戻る。
【００６２】
＜画像移動時の動作＞
次に、前述したようにして（図７（ｂ）、図５のステップＳ１０１２）、ＩＰアドレスを割り当てた画像を他のサーバ等へ移動させる場合について、図９、図１０及び図１１を用いて説明する。
【００６３】
ここで、図９は、本実施の形態に係る画像移動時における複写機１００側の処理を示すフローチャートである。図１０（ａ），（ｂ）は、本実施の形態に係るＩＰスキャン画像を移動するモードが選択された場合に操作部１７２の操作画面に表示される画面を示す表示画面図ある。
【００６４】
（Ａ）画像移動時の表示
図１０（ａ）において、８０１は、ＩＰスキャンモードで読み取られてＩＰアドレスが割り当てられた画像（以下、ＩＰスキャン画像と記す）の一覧が表示されるエリアである。これらＩＰスキャン画像の一覧では、読み取り日時とＩＰアドレスが表示されている。この表示された読み取り日時もしくはＩＰアドレスの上を触れると、それに対応した画像が選択される。選択された項目は黒地に白文字表示となる。選択された画像のプレビューはエリア８０２に表示され、その画像を確認しながら選択の確認を行うことが可能である。
【００６５】
８０３は消去ボタンであり、このボタン８０３が押されると、選択した画像がハードディスク３０４から消去される。８０４は移動ボタンであり、ＩＰスキャン画像の移動を実行する際に用いる。８０５は変更ボタンであり、選択された画像のＩＰアドレスを変更することが可能である。
【００６６】
（Ｂ）複写機側における画像移動時の処理
図９に示す画像移動時における複写機１００側の処理は、図１０（ａ）の画面において移動ボタン８０４が押された際に開始される。
【００６７】
まずステップＳ１２０１では、図１０（ａ）の画面のエリア８０１で選択されている画像を記憶する。ステップＳ１２０１が終了すると、操作部１７２の画面には、図１０（ｂ）に示すようなポップアップウィンドウ８１０が現れる。
【００６８】
図１０（ｂ）において、エリア８１０には、ネットワークから見える外部ホストコンピュータの一覧が表示される。ここでは、各外部ホストコンピュータ上に後述するシーケンスを行うソフトウェアがインストールされていて、ある範囲のネットワーク内にある外部ホストコンピュータのみが表示される。この一覧では、ホスト名とＩＰアドレスとが表示され、項目のホスト名の上を触れることで移動先の外部ホストコンピュータが選択される。選択された外部ホストコンピュータの項目は黒地に白文字の表示となって選択状態となる。また、８１２はＯＫボタンであり、８１１はキャンセルボタン８１１である。
【００６９】
続くステップＳ１２０２では、図１０（ｂ）の画面のＯＫボタン８１２が押されたか否かを判定する。ステップＳ１２０２でＯＫボタン８１２が押されていないと判定したら、ステップＳ１２０３へ進む。ステップＳ１２０３では、キャンセルボタン８１１が押されたか否かを判定する。キャンセルボタンが押されたと判定したら、画面を図１０（ａ）に戻し処理を終了する。ステップＳ１２０３でキャンセルボタン８１１が押されていないと判定されたら、ステップＳ１２０２に戻る。
【００７０】
ステップＳ１２０２でＯＫボタン８１２が押されたと判断された場合にはステップＳ１２０４へ進み、図１０（ｂ）で選択されている外部ホストコンピュータとの接続のトライを開始する。外部ホストコンピュータ側の処理に関しては後述する。ステップＳ１２０４が終了するとステップＳ１２０５へ進み、外部ホストコンピュータ側から接続ＯＫを受信したか否かを判定する。ステップＳ１２０５は基本的に受信するまで繰り返される。
【００７１】
ステップＳ１２０５で外部ホストコンピュータ側から接続ＯＫの通知が到来したと判定したら、ステップＳ１２０６へ進み、前記ステップＳ１２０１で記憶しておいた画像の送信を開始する。ステップＳ１２０６が終了するとステップＳ１２０７へ進み、外部ホストコンピュータ側からの画像受信終了の通知を受信したか否かを判定する。ステップＳ１２０７は受信するまで繰り返される。
【００７２】
ステップＳ１２０７において画像受信終了の通知を受信したと判定した場合にはステップＳ１２０８へ進み、前記画像に割り当てられたＩＰアドレスを含むデータを前記外部ホストコンピュータへ送信する。そして、外部ホストコンピュータからアドレス受信終了の通知を受け取ったら（ステップＳ１２０９）、ステップＳ１２１０へ進む。
【００７３】
ステップＳ１２１０では、前記ステップＳ１２０１で割り当てられていたＩＰアドレスを複写機自身のＩＰアドレスから削除する。これは、今後、通信している外部ホストコンピュータ側で当該画像をハンドルするためである。そして、ステップＳ１２１０が終了するとステップＳ１２１１へ進み、前記ステップＳ１２０１で記憶されていた画像を消去し、本処理を終了する。
【００７４】
（Ｂ）外部ホストコンピュータ側における画像移動時の処理
次に、割り当てられたＩＰアドレスの画像の移動先になり得る外部ホストコンピュータでの処理について、図１１のフロチャートを用いて説明する。
【００７５】
図１１は、本実施の形態に係る画像移動時における外部ホストコンピュータ２００側の処理を示すフローチャートである。外部ホストコンピュータ２００に専用のソフトウェアをインストールし、常駐させておくことでこのように処理が可能となる。
【００７６】
まずステップＳ１３０１では、複写機１００から接続のトライがあるか否かを判定する。このステップＳ１３０１の処理はトライがあるまで繰り返される。ステップＳ１３０１でトライがあったと判定された場合にはステップＳ１３０２へ進み、接続ＯＫの情報を複写機１００へ送信する。
【００７７】
ステップＳ１３０２が終了したら、ステップＳ１３０３へ進み、複写機１００から画像が送られてくるのを待つ処理を開始して、ステップＳ１３０４において画像の受信が終了するのを待つ。
【００７８】
ステップＳ１３０４で画像受信が終了したと判定したら、ステップＳ１３０５へ進み、ステップＳ１３０３からステップ１３０４において受信した画像をハードディスク３０４に保存する。そして、次のステップＳ１３０６では、複写機１００から当該画像に関するデータが送られてくるのを待つ処理を開始する。この画像に関するデータにはＩＰアドレスが含まれている。
【００７９】
ステップＳ１３０６が終了すると、ステップＳ１３０７へ進み、このデータの受信が終了したか否かを判断する。ステップＳ１３０７でデータの受信が終了したと判定された場合には、ステップ１３０８へ進み、前記ステップＳ１３０５でハードディスク３０４に保存した画像と、ステップＳ１３０６からステップＳ１３０７までの間に受信したこの画像のＩＰアドレスとの関連付けを行う。
【００８０】
ステップＳ１３０８が終了すると、ステップＳ１３０９へ進み、この外部ホストコンピュータ２００がハンドルするＩＰアドレスに、前記受信した画像に割り当てたＩＰアドレスを追加して処理を終了する。
【００８１】
＜実施の形態の利点＞
本実施の形態によれば、複写機１００で読み込んだ画像にＩＰアドレスを割り当てて（図５のステップＳ１０１２）指定した宛先（ユーザ）へ送付する（図５のステップＳ１０１３）。そして、ユーザ側からそのＩＰアドレスが参照された場合に（図８のステップＳ１１０８）、これに対応する画像を返すようにする（図８のステップＳ１１０９及びステップＳ１１１１）。これにより、ユーザ側は、メモリ（ハードディスク）を占有させることなく、インターネット上のどこからでも簡単に画像の閲覧等を行うことができる。すなわち、本実施の形態では、リーダ部１で読み取った画像を容易且つ便利にユーザに公開することが可能になる。
【００８２】
また、この複写機１００のハードディスク３０４からサーバ等の外部ホストコンピュータ２００に対し、ＩＰアドレスが割り当てられた画像の実体を移す際には、その画像自体と共に、そのＩＰアドレスも移動するようにした（図９のステップＳ１２０６、ステップＳ１２０７、ステップＳ１２０９）。これにより、ユーザ側は、画像が移動されたことを意識することなく外部ホストコンピュータ２００に対して同様にアクセスして、画像の閲覧等を行うことが可能である。
【００８３】
なお、本発明の目的は、実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００８４】
この場合、記憶媒体から読み出されたプログラムコード自体が前述した実施の形態の機能を実現することになり、そのプログラムコード及び該プログラムコードを記憶した記憶媒体は本発明を構成することになる。
【００８５】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００８６】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００８７】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００８８】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部または全部を行い、その処理によって前述した各実施の形態の機能が実現される場合も、本発明に含まれることは言うまでもない。
【図面の簡単な説明】
【００８９】
【図１】実施の形態に係る画像処理装置の要部構成を示す断面図である。
【図２】図１のデジタル複写機内の制御系の構成を示すブロック図である。
【図３】図２中の画像メモリ部の構成を示すブロック図である。
【図４】図２中の外部Ｉ／Ｆ処理部の構成を示すブロック図である。
【図５】実施の形態に係る複写機におけるスキャンモード時の動作を示すフローチャートである。
【図６】実施の形態に係るスキャンモード時に操作部の操作画面に表示される表示画面図である。
【図７】ＩＰアドレスの割り当て方法を説明するための説明図である。
【図８】実施の形態に係る複写機におけるインターネットのアクセス監視処理を示すフロチャートである。
【図９】実施の形態に係る画像移動時における複写機側の処理を示すフローチャートである。
【図１０】実施の形態に係るＩＰスキャン画像を移動するモードが選択された場合に操作部の操作画面に表示される画面を示す表示画面図である。
【図１１】実施の形態に係る画像移動時における外部ホストコンピュータ側の処理を示すフローチャートである。
【符号の説明】
【００９０】
１  リーダ部
２  プリンタ部
３  画像メモリ部
４  外部Ｉ／Ｆ処理部
１００  画像処理装置
１７０  画像処理部
１７１  ＣＰＵ
１７２  操作部
１７３  入出力ポート
１７４  ＲＯＭ
１７５  ワークＲＡＭ
２００  外部ホストコンピュータ
【図１】
2006323496.tif 000003
【図２】
2006323496.tif 000004
【図３】
2006323496.tif 000005
【図４】
2006323496.tif 000006
【図５】
2006323496.tif 000007
【図６】
2006323496.tif 000008
【図７】
2006323496.tif 000009
【図８】
2006323496.tif 000010
【図９】
2006323496.tif 000011
【図１０】
2006323496.tif 000012
【図１１】
2006323496.tif 000013